【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
移動可能なベルト体と、前記ベルト体を支持するローラと、を有する画像形成装置において、
前記ローラを保持する保持手段と、前記ローラにより支持される前記ベルト体の表面に接触して前記ベルト体をクリーニングするクリーニング部材を有するクリーニングユニットと、前記ベルト体と前記ローラと前記保持部材を備えるベルトユニットと、を有し、前記保持手段に保持された前記ローラは前記保持部材と共に所定の一方向にのみ移動可能であり、前記クリーニングユニットは前記ベルト体に対して着脱可能であり、前記クリーニング部材は軸を中心に回動可能であり、前記クリーニングユニットを前記ベルトユニットに装着する時に前記クリーニングユニットは前記保持手段に位置決めされることを特徴とする画像形成装置。
【請求項２】
前記保持手段に保持された前記ローラは前記ベルト体の張力を調整するために所定の一方向に移動可能であることを特徴とする請求項１に記載の画像形成装置。
【請求項３】
前記保持手段に保持された前記ローラは前記ベルト体の移動方向と直交する方向の片寄りを規制するために所定の一方向に移動可能であることを特徴とする請求項１に記載の画像形成装置。
【請求項４】
前記クリーニング部材が前記ベルト体に接触する位置は前記ローラが移動したとしても実質的に変動しないことを特徴とする請求項１から３のいずれか一項に記載の画像形成装置。
【請求項５】
前記保持手段は前記ローラの回転軸の両端部を保持する一対の保持部材を備えることを特徴とする請求項１から４のいずれか一項に記載の画像形成装置。
【請求項６】
前記ベルトユニットは前記保持手段が前記所定の一方向に移動可能となるように支持する支持手段を備えることを特徴とする請求項１から５のいずれか一項に記載の画像形成装置。
【請求項７】
前記保持手段は前記ローラの回転軸の両端部をそれぞれ保持する一対の保持部材を備え、前記支持手段は前記一対の保持部材に保持された前記ローラの回転軸両端部をそれぞれ支持する一対の支持部材を備えることを特徴とする請求項６に記載の画像形成装置。
【請求項８】
前記各支持部材は前記ローラの回転軸を案内する穴を備え、前記穴による前記ローラの回転軸の案内方向は前記所定の一方向と同方向であることを特徴とする請求項７に記載の画像形成装置。
【請求項９】
前記クリーニング部材はブレードであることを特徴とする請求項１から８のいずれか一項に記載の画像形成装置。
【請求項１０】
前記ブレードは前記ベルト体の移動方向上流側に向いている状態で接触することを特徴とする請求項９に記載の画像形成装置。
【請求項１１】
前記ブレードは所定の圧力で前記ベルト体に接触することを特徴とする請求項９または１０に記載の画像形成装置。
【請求項１２】
前記クリーニング部材は回転可能なブラシであることを特徴とする請求項１から８のいずれか一項に記載の画像形成装置。
【請求項１３】
前記ブラシは所定の圧力で前記ベルト体に接触することを特徴とする請求項１２に記載の画像形成装置。
【請求項１４】
トナー像を担持する像担持体を備え、前記像担持体から前記ベルト体に担持された記録材に像が転写されることを特徴とする請求項１から１３のいずれ一項に記載の画像形成装置。
【請求項１５】
複数色のトナー像をそれぞれ担持する複数の像担持体を備え、前記各像担持体から前記ベルト体に担持された記録材に複数色の像が順次転写されることを特徴とする請求項１から１３のいずれか一項に記載の画像形成装置。
【請求項１６】
前記クリーニングユニットは前記クリーニング部材により回収された回収物を収納する容器を備えることを特徴とする請求項１から１５のいずれか一項に記載の画像形成装置。
【請求項１７】
前記クリーニングユニットは前記保持手段に対して着脱可能であることを特徴とする請求項１から１６のいずれか一項に記載の画像形成装置。
【請求項１８】
前記クリーニング部材は前記ベルト体を介して前記ローラと対向することを特徴とする請求項１から１７のいずれか一項に記載の画像形成装置。
【請求項１９】
前記保持手段は、前記ローラの回転軸を保持することを特徴とする請求項１から１８のいずれか一項に記載の画像形成装置。
【請求項２０】
前記ベルト体上に画像を形成する画像形成手段を有することを特徴とする請求項１から１９のいずれか一項に記載の画像形成装置。
【請求項２１】
前記ベルト体が感光ベルトであることを特徴とする請求項２０に記載の画像形成装置。
【請求項２２】
前記ベルト体が中間転写体であることを特徴とする請求項１４または１５に記載の画像形成装置。
【請求項２３】
前記ベルト体上の画像が記録材上に転写されることを特徴とする請求項１から２２のいずれか一項に記載の画像形成装置。
【請求項２４】
前記ベルト体上は記録材を担持することを特徴とする請求項１から１９のいずれか一項に記載の画像形成装置。
【請求項２５】
前記ベルト体上に担持された記録材上に画像を形成することを特徴とする請求項２４に記載の画像形成装置。
【請求項２６】
前記クリーニングユニットは前記クリーニング部材を前記ベルト体側に付勢する付勢手段を有することを特徴とする請求項１から２５のいずれか一項に記載の画像形成装置。
【手続補正２】
【補正対象書類名】明細書
【補正対象項目名】００１８
【補正方法】変更
【補正の内容】
【００１８】
【課題を解決するための手段】
上記目的は本発明に係る画像形成装置にて達成される。要約すれば、本発明は、移動可能なベルト体と、前記ベルト体を支持するローラと、を有する画像形成装置において、
前記ローラを保持する保持手段と、前記ローラにより支持される前記ベルト体の表面に接触して前記ベルト体をクリーニングするクリーニング部材を有するクリーニングユニットと、前記ベルト体と前記ローラと前記保持部材を備えるベルトユニットと、を有し、前記保持手段に保持された前記ローラは前記保持部材と共に所定の一方向にのみ移動可能であり、前記クリーニングユニットは前記ベルト体に対して着脱可能であり、前記クリーニング部材は軸を中心に回動可能であり、前記クリーニングユニットを前記ベルトユニットに装着する時に前記クリーニングユニットは前記保持手段に位置決めされることを特徴とする画像形成装置である。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】変更
【補正の内容】
【００２０】
本発明における一実施態様によると、前記保持手段に保持された前記ローラは前記ベルト体の張力を調整するために所定の一方向に移動可能である。
上記発明における
【手続補正５】
【補正対象書類名】明細書
【補正対象項目名】００２１
【補正方法】変更
【補正の内容】
【００２１】
他の実施態様によると、前記保持手段に保持された前記ローラは前記ベルト体の移動方向と直交する方向の片寄りを規制するために所定の一方向に移動可能である。
【手続補正６】
【補正対象書類名】明細書
【補正対象項目名】００２４
【補正方法】変更
【補正の内容】
【００２４】
また、他の実施態様によると、前記ベルトユニットは前記保持手段が前記所定の一方向に移動可能となるように支持する支持手段を備える。
【手続補正７】
【補正対象書類名】明細書
【補正対象項目名】００２６
【補正方法】変更
【補正の内容】
【００２６】
また、他の実施態様によると、前記クリーニング部材はブレードである。前記ブレードは前記ベルト体の移動方向上流側に向いている状態で接触する。前記ブレードは所定の圧力で前記ベルト体に接触する。
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】変更
【補正の内容】
【００３０】
また、他の実施態様によると、トナー像を担持する像担持体を備え、前記像担持体から前記ベルト体上に像が転写され、前記ベルト体から記録材に像が転写される。
【手続補正１１】
【補正対象書類名】明細書
【補正対象項目名】００３１
【補正方法】変更
【補正の内容】
【００３１】
また、他の実施態様によると、複数色のトナー像をそれぞれ担持する複数の像担持体を備え、前記各像担持体から前記ベルト体上に複数色の像が順次転写され、前記ベルト体から記録材に複数色の像が転写される。
【手続補正１２】
【補正対象書類名】明細書
【補正対象項目名】００３３
【補正方法】変更
【補正の内容】
【００３３】
また、他の実施態様によると、前記クリーニングユニットは前記保持手段に対して着脱可能である。
【手続補正１３】
【補正対象書類名】明細書
【補正対象項目名】００３４
【補正方法】変更
【補正の内容】
【００３４】
また、他の実施態様によると、前記クリーニング部材は前記ベルト体を介して前記ローラと対向する。
【手続補正１４】
【補正対象書類名】明細書
【補正対象項目名】００３５
【補正方法】変更
【補正の内容】
【００３５】
また、他の実施態様によると、前記保持手段は、前記ローラの回転軸を保持する。
【手続補正１５】
【補正対象書類名】明細書
【補正対象項目名】００３６
【補正方法】変更
【補正の内容】
【００３６】
また、他の実施態様によると、前記ベルト体上に画像を形成する画像形成手段を有する。
【手続補正１６】
【補正対象書類名】明細書
【補正対象項目名】００３７
【補正方法】変更
【補正の内容】
【００３７】
また、他の実施態様によると、前記ベルト体が感光ベルトである。
【手続補正１７】
【補正対象書類名】明細書
【補正対象項目名】００３８
【補正方法】変更
【補正の内容】
【００３８】
また、他の実施態様によると、前記ベルト体が中間転写体である。
【手続補正１８】
【補正対象書類名】明細書
【補正対象項目名】００３９
【補正方法】変更
【補正の内容】
【００３９】
また、他の実施態様によると、前記ベルト体上の画像が記録材上に転写される。
【手続補正１９】
【補正対象書類名】明細書
【補正対象項目名】００４０
【補正方法】変更
【補正の内容】
【００４０】
また、他の実施態様によると、前記ベルト体上は記録材を担持する。
【手続補正２０】
【補正対象書類名】明細書
【補正対象項目名】００４１
【補正方法】変更
【補正の内容】
【００４１】
また、他の実施態様によると、前記ベルト体上に担持された記録材上に画像を形成する。
【手続補正２１】
【補正対象書類名】明細書
【補正対象項目名】００４２
【補正方法】変更
【補正の内容】
【００４２】
また、他の実施態様によると、前記クリーニングユニットは前記クリーニング部材を前記ベルト体側に付勢する付勢手段を有する。
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】